(57)【要約】【課題】コストが高く交換が難しい丸刃ユニットを使用せずに断裁するとともに、断裁幅も調整自在とし、さらにカードの順序性も備えてカードトレイに収容する。【解決手段】カード用紙を搬入する給紙部と、給紙部から搬入されたカード用紙の第１所定位置を検出し、第１所定位置から一定量だけ搬送方向前方に搬送する第１搬送部と、第１搬送部により搬送されたときに搬送方向と略直角方向に長刃により前記カード用紙を断裁および／またはドブ断ちする第１断裁部と、第１断裁部により断裁されたカード用紙片を第１搬送部による搬送方向と略直角の方向に搬送する第２搬送部と、第２搬送部により搬送されたカード用紙片の第２所定位置を検出し、第２所定位置において長刃またはロータリ刃によりカード用紙片を断裁および／またはドブ断ちする第２断裁部とを備えた。【選択図】図１
2005001075.tif 000002
【特許請求の範囲】
【請求項１】
カードを複数枚取りできるカード用紙を断裁して当該カードを所定の形状に断裁するカード断裁装置において、
前記カード用紙を搬入する給紙部と、
当該給紙部から搬入された前記カード用紙の第１所定位置を検出し、当該第１所定位置から一定量だけ搬送方向前方に搬送する第１搬送部と、
当該第１搬送部により搬送されたときに前記搬送方向と略直角方向に長刃により前記カード用紙を断裁および／またはドブ断ちする第１断裁部と、
当該第１断裁部により断裁されたカード用紙片を前記第１搬送部による前記搬送方向と略直角の方向に搬送する第２搬送部と、
当該第２搬送部により搬送された前記カード用紙片の第２所定位置を検出し、当該第２所定位置において長刃またはロータリ刃により前記カード用紙片を断裁および／またはドブ断ちする第２断裁部とを備えたことを特徴とするカード断裁装置。
【請求項２】
前記第１断裁部は、カードを一列ごとに断裁して前記カード用紙片を成形し、前記第２断裁部は、一列に連なった前記カード用紙片を端部より断裁し、前記カードを断裁順に排出することを特徴とする請求項１記載のカード断裁装置。
【発明の詳細な説明】
【０００１】
【発明の属する技術分野】
本発明は、予め印刷された各種サイズ（Ａ４，Ａ５，Ｂ５，Ｂ６等）のカード用紙をカードやはがき等の形状に裁断するカード断裁装置に関する。
【０００２】
【従来の技術】
この種のカード断裁装置として、特開平１０−７６４９５号公報に開示されているカード断裁装置が従来知られている。図６は、このカード断裁装置を上面から見た機能ブロック図であり、１はこの装置に着脱自在に装着された長刃（直線刃）カッターユニット、２はこの装置に着脱自在に装着された丸刃カッターユニット、３はカード用紙、４は断裁後の各カード、５は断裁後のカードを収容するカードトレイを示している。このカード断裁装置により、カード用紙３が長刃カッターユニット１により断裁され、次に丸刃カッターユニット２によってカード４に断裁されてカードトレイ５にスタックされる過程を示している。
【０００３】
次に従来のカード断裁装置の動作について説明する。図７は、このカード断裁装置を上面から見た構成ブロック図であり、カード４が印刷されたカード用紙３を２方向に断裁することにより、カード４を所定の形状に断裁する。まず、不図示の給紙部から送られてくるカード用紙の送り方向に対し、略直角方向に沿って第１断裁部１７に備えた長刃によりカード間で２回断裁してドブしろを取る。次に、第２断裁部１８において、カード用紙３の搬送方向と平行にドブしろを取るために配置した上側回転刃１９と下側回転刃２０によりスリット断裁を行い、カード４を所定の形状に断裁する。さらに、不図示の排出部からカード４を排出してカードトレイ５に収容する。
【０００４】
次に、図８に第２断裁部１８におけるスリット断裁時の上側回転刃１９と下側回転刃２０の拡大図を示す。実際のカードは、上側回転刃１９に押し切られる状態となり、カード印刷面に券面ガレ（剥がれ）が発生する。
【０００５】
また、図９は、第２断裁部のドブガイドを示す図である。第２断裁部１８においては、カード間にドブが発生する。このドブ自体は、示すドブガイド２１に沿って落下するのが正常動作であるが、使用する環境（温度、湿度等）やカード材質によっては、落下不良、すなわちドブ詰まりを発生する可能性がある。
【０００６】
【特許文献１】
特開平１０−７６４９５号公報
【０００７】
【発明が解決しようとする課題】
ところが、このカード断裁装置には、以下の問題点があった。すなわち、このカード断裁装置の丸刃ユニットを使用すると、スリッタの構造上、券面印字面の像ガレが発生する（図８）。また、ドブ落とし不良も発生し易い（図９）。さらに、カードトレイに関しても、ドブ付き，ドブなしのタイプがあり、各々の収容性能確保のために専用品を用意して使い分ける必要がある。また、カードにナンバリング（通し番号）がある場合、収容する順序に規則性が無く、別途並べ替え処置が必要になる。
【０００８】
本発明は、かかる問題点を解決すべくなされたものであり、コストが高く交換が難しい丸刃ユニットを使用せずに断裁するとともに、断裁幅も調整自在とし、さらにカードの順序性も備えてカードトレイに収容することができるカード断裁装置の提供を目的とする。
【０００９】
【課題を解決するための手段】
上記目的を達成すべく請求項１記載のカード断裁装置は、カードを複数枚取りできるカード用紙を断裁して当該カードを所定の形状に断裁するカード断裁装置において、前記カード用紙を搬入する給紙部と、当該給紙部から搬入された前記カード用紙の第１所定位置を検出し、当該第１所定位置から一定量だけ搬送方向前方に搬送する第１搬送部と、当該第１搬送部により搬送されたときに前記搬送方向と略直角方向に長刃により前記カード用紙を断裁および／またはドブ断ちする第１断裁部と、当該第１断裁部により断裁されたカード用紙片を前記第１搬送部による前記搬送方向と略直角の方向に搬送する第２搬送部と、当該第２搬送部により搬送された前記カード用紙片の第２所定位置を検出し、当該第２所定位置において長刃またはロータリ刃により前記カード用紙片を断裁および／またはドブ断ちする第２断裁部とを備えている。
【００１０】
請求項２記載のカード断裁装置は、請求項１記載のカード断裁装置において、前記第１断裁部は、カードを一列ごとに断裁して前記カード用紙片を成形し、前記第２断裁部は、一列に連なった前記カード用紙片を端部より断裁し、前記カードを断裁順に排出する。
【００１１】
【発明の実施の形態】
以下、添付図面を参照して、本発明に係るカード断裁装置の好適な実施の形態について説明する。
【００１２】
図１は、本発明におけるカード断裁装置の構成図であり、長刃１剪断２ヶ所およびＬ字型に制御される搬送ルートを示している。また、図２は本発明におけるカード断裁装置の動作フローチャート図である。カード断裁装置の上面には、カード用紙３を給紙する給紙部６が設けられている。この給紙部６にセットされたカード用紙３は、給紙ローラ部１１によってカード断裁装置内部に搬送される。不図示のコントロールパネル部は、入力されたデータやカード断裁装置の状態などを表示する液晶表示部、操作キー等を備えて構成される。
【００１３】
次に、カード断裁装置の動作について説明する。不図示のメインスイッチをオンし、不図示の操作キーによって、カードの大きさ，カード断裁時の先端ドブの長さや中間ドブの長さ等を入力設定する。なお、予めこれらの情報がカード断裁装置内の不図示の記憶部に記憶されている場合には、この操作は必要としない。まず、カード用紙３を給紙部６にセットし、不図示の操作キーのスタートスイッチをオンにすることでカード用紙３の搬送が開始される。次に、第１位置検出センサ１５で検出され、第１断裁部１７の長刃カッターユニット１にて１列ずつカード用紙３が断裁される。カード用紙３のドブは下部に落下し、不図示の１列状のカード用紙片（第１断裁後のカード用紙）が規定位置に達したことをサイドレジセンサ１４が認識する。Ｌ字転回部１３にて規定位置副送後のカード用紙片は再搬送され、第２位置検出センサ１６の検出後に第２断裁部１８の長刃カッターユニット１２で断裁され、排出部７の排出ローラから排出されて独立したカード形状となる。尚、上記の各部でミスフィードが発生した場合には、ミスフィードによるフェイル表示を行うように設定されている。
【００１４】
次に、図３に本発明におけるカード断裁装置の主搬送部（第１搬送部８）の側面からみた構成図を示す。給紙ローラ部（ピックアップローラ）１１によりカード用紙３を搬送し、カード用紙３の先端が第１位置検出センサ１５に到達する時間を基準に、長刃カッターユニット１にてカット動作を行い、その後、搬送用半月ローラ２２および搬送用パドル２３により、ストッパガイド２４に突き当てるように搬送する。さらに、突き当ての検出は、サイドレジセンサ１４にて行う。
【００１５】
次に、図４に本発明におけるカード断裁装置の副搬送部（第２搬送部９）の側面からみた構成図を示す。搬送用半月ローラ２２および搬送ローラ２５により、不図示の第１断裁部にて１列に断裁されたカード用紙片１０を送り、カード用紙片１０の先端が第２位置検出センサ１６到達時間を基準として長刃カッターユニット１２にて断裁動作を行い、断裁後のカード４をカードトレイ５に収容する。
【００１６】
次に、図５に本発明に係るカード断裁装置の上面図を示す。カード用紙３が、長刃カッターユニット１により断裁され、第１搬送部８と、略直角に配された第２搬送部９により搬送され、長刃カッターユニット１２により順次断裁され、順次カードトレイ５にカード４が収容（スタック）される過程を示している。
【００１７】
なお、本発明は、上述した本発明の実施の形態に示した構成に限定されない。例えば、本発明の実施の形態では、第１断裁部および第２断裁部に長刃カッターユニットを用いた例について説明したが、ロータリ刃カッターユニットを採用することもできる。
【００１８】
【発明の効果】
以上のように請求項１記載のカード断裁装置によれば、カードを複数枚取りできるカード用紙を断裁してカードを所定の形状に断裁するカード断裁装置において、カード用紙を搬入する給紙部と、給紙部から搬入されたカード用紙の第１所定位置を検出し、第１所定位置から一定量だけ搬送方向前方に搬送する第１搬送部と、第１搬送部により搬送されたときに搬送方向と略直角方向に長刃により前記カード用紙を断裁および／またはドブ断ちする第１断裁部と、第１断裁部により断裁されたカード用紙片を第１搬送部による搬送方向と略直角の方向に搬送する第２搬送部と、第２搬送部により搬送されたカード用紙片の第２所定位置を検出し、第２所定位置において長刃またはロータリ刃によりカード用紙片を断裁および／またはドブ断ちする第２断裁部とを備えたことにより、丸刃ユニットを使用する必要が無く、券ガレの無い高品位なカード多面取りを低コストで実現することができる。
【００１９】
また、請求項２記載のカード断裁装置によれば、第１断裁部は、カードを一列ごとに断裁してカード用紙片を成形し、第２断裁部は、一列に連なったカード用紙片を端部より断裁してカードを断裁順に排出することにより、切断されたカードは常に順序だてられてカードトレイにスタックされる。そのため、複数枚取りの各カードにシリアル番号が打たれている場合には特に回収性に優れる。また、カードトレイは、ドブ有り／ドブ無し断裁に関係なく１種類のトレイで済む。
【図面の簡単な説明】
【図１】本発明に係るカード断裁装置の構成図である。
【図２】本発明に係るカード断裁装置の動作フローチャートである。
【図３】本発明に係るカード断裁装置の主搬送部の構成図である。
【図４】本発明に係るカード断裁装置の副搬送部の構成図である。
【図５】本発明に係るカード断裁装置を上面側から見た機能ブロック図である。
【図６】従来のカード断裁装置を上面側から見た機能ブロック図である。
【図７】従来のカード断裁装置を上面側から見た構成ブロック図である。
【図８】従来のカード断裁装置の第２断裁部の断面図である。
【図９】従来のカード断裁装置の第２断裁部のドブガイドを示す図である。
【符号の説明】
１  長刃カッターユニット
２  丸刃カッターユニット
３  カード用紙
４  カード
５  カードトレイ
６  給紙部
７  排出部
８  第１搬送部
９  第２搬送部
１０  カード用紙片
１１  給紙ローラ
１２  長刃カッターユニット
１３  Ｌ字転回部
１４  サイドレジセンサ
１５  第１置検出センサ
１６  第２位置検出センサ
１７  第１断裁部
１８  第２断裁部
１９  上側回転刃
２０  下側回転刃
２１  ドブガイド
２２  搬送用半月ローラ
２３  搬送用パドル
２４  ストッパガイド
２５  搬送ローラ
【図１】
2005001075.tif 000003
【図２】
2005001075.tif 000004
【図３】
2005001075.tif 000005
【図４】
2005001075.tif 000006
【図５】
2005001075.tif 000007
【図６】
2005001075.tif 000008
【図７】
2005001075.tif 000009
【図８】
2005001075.tif 000010
【図９】
2005001075.tif 000011